(57)【特許請求の範囲】
【請求項１】
接着式ベント装置を閉鎖容器の表面内のアパーチャに被さるように取り付ける方法であって、
該接着式ベント装置は、少なくとも１つのエッジ、通気エレメント、及び接着領域を有し、
該通気エレメントは、空気透過性通気領域を有し、
該接着領域には、該空気透過性通気領域を取り囲む接着剤が配置されており、
該方法は：
ａ．  該閉鎖容器の該表面上の少なくとも１つの方向での運動を阻止するのに対して少なくとも１つの他の方向での運動を阻止しないように適合されているエッジガイドを、該アパーチャに隣接して設け、
ｂ．  該接着式ベント装置に、実質的に真直ぐ且つ鋸歯状のエッジを、該通気エレメントの表面と概ね平行な方向に設け、
ｃ．  該接着剤が該閉鎖容器の該表面に付着するのを防止する位置に該接着式ベント装置の残部を維持しつつ、該接着式ベント装置の該鋸歯状エッジが該エッジガイドと係合するように、該閉鎖容器の該表面上に該鋸歯状エッジを位置決めし、
ｄ．  該接着式ベント装置の該空気透過性通気領域が該アパーチャを覆い、かつ該接着式ベント装置が該接着剤によって該閉鎖容器の該表面に固定されるように、該接着式ベント装置を該閉鎖容器の該表面上へ押し付ける
ことを含む、方法。
【請求項２】
接着式ベント装置を閉鎖容器の表面内のアパーチャに被さるように取り付けるための該接着式ベント装置と該表面内に該アパーチャを有する該閉鎖容器との組み合わせ方法であって、
ａ．  該閉鎖容器は、該アパーチャに隣接した該表面上に配置されたエッジガイドを有し、そして該エッジガイドは、該閉鎖容器の該表面上の少なくとも１つの方向での運動を阻止するのに対して少なくとも１つの他の方向での運動を阻止しないように適合されており、
ｂ．  該接着式ベント装置は、通気エレメント、接着領域、及び該通気エレメントの表面と概ね平行な方向に設けられた少なくとも１つの実質的に真直ぐ且つ鋸歯状のエッジを有し、該通気エレメントは、空気透過性通気領域を有し、該接着領域は、該空気透過性通気領域を取り囲む接着剤を有し、
該接着剤が該閉鎖容器の該表面に付着するのを防止する位置に該接着式ベント装置の残部を維持しつつ、該接着式ベント装置の該実質的に真直ぐ且つ鋸歯状のエッジが該エッジガイドと係合するように、該閉鎖容器の該表面上に該実質的に真直ぐ且つ鋸歯状のエッジを位置決めすることができ、かつ
該接着式ベント装置の該空気透過性通気領域が該アパーチャを覆い、かつ該接着式ベント装置が該接着剤によって該閉鎖容器の該表面に固定されるように、該接着式ベント装置を該閉鎖容器の該表面上へ押し付けることができる、
組み合わせ方法。
【発明の詳細な説明】
【技術分野】
【０００１】
本発明は、可撓性接着式構成部分のための改善された取り付け方法に関する。例えば一実施態様の場合、本発明は、水蒸気が通過する一方、液体状の水、及び粒子状物質のような他の汚染物質に対するバリアとなる接着式ベント装置において有用である。しばしばこのようなベント装置は閉鎖容器（エンクロージャ）に設けられた穴に被さるように正確に配置しなければならない。具体的には、本発明は、自動車用ランプの閉鎖容器内にベント装置を取り付ける改善された方法に関する。
【背景技術】
【０００２】
多くの乗り物用ランプは、凝縮を低減するために通気システムを備えていてよい。１つのこのようなシステムは接着式ベント装置を含んでおり、この接着式ベント装置は、ランプ閉鎖容器に設けられたアパーチャに被さるように接着剤によって付着される多孔質通気材料を含む。多くのこのような通気システムは、ランプ閉鎖容器に手作業によって、すなわちランプ閉鎖容器に設けられたターゲット・フレーム上に接着式ベント装置を手で摘んで置く作業によって取り付けられる。これらのシステムにおいて共通して発生するのは、利用可能な取り付け時間が著しく短い（典型的には数秒オーダーまで）ことに起因するターゲット・フレーム上のベント装置の誤整合である。このことは、ベント装置の不適切な装着を招き、これによりベント装置の周りに漏れ経路を生じさせるおそれがある。このような漏れ経路はベント装置の性能に悪影響を及ぼすことがある。従って、ランプ閉鎖容器上にベント装置を正確に配置する取り付け方法が必要である。本発明は、この要求を満たし、より容易な取り付け方法も提供する。本発明は、自動車用ランプ閉鎖容器の範囲を超えた用途を有している。本発明が有利であり得る他の例としては、均圧のための接着式ベント装置が使用される電子装置閉鎖容器、又は可撓性接着式構成部分を表面上に正確に配置しなければならない他の用途が挙げられる。
【発明の概要】
【０００３】
関連する図面及び説明から、本発明の利点をより十分に理解することができる。
【図面の簡単な説明】
【０００４】
【図１】図１ａ及び図１ｂは、ターゲット・フレーム上に取り付けられた従来のベント装置を示す分解・斜視図である。
【図２】図２ａ及び図２ｂは、本発明の一実施態様を示す分解・斜視図である。
【図３】図３ａ及び図３ｂは、本発明の別の実施態様を示す分解・斜視図である。
【図４】図４ａ〜４ｆは、考えられ得る鋸歯状エッジ形態の種々の例を示す図である。
【図５】図５ａ〜５ｃは、本発明の改善された取り付け方法に関与する工程を示す図である。
【発明を実施するための形態】
【０００５】
従来、図１ａ及び１ｂに示されている形式で、接着式ベント装置を閉鎖容器に取り付けることができる。図１ａはベント装置１０の分解図である。図１ｂはベント装置１０を、閉鎖容器壁１１上に取り付けた状態で示している。ベント装置１０は通気エレメント２と接着剤４とを含んでいる。接着剤４は、閉鎖容器壁１１に設けられた開口９に対応するアパーチャ５を有している。接着剤４はキャリアに被着された両面接着剤であってよい。接着剤４は取り付け前に通気エレメント２と組み合わされる。接着剤内のアパーチャが閉鎖容器壁１１の開口と整合するようにベント装置１０を適切に配置するために、ターゲット・フレーム６を設けることができる。ベント装置１０はターゲット・フレーム６内に配置される。
【０００６】
一実施態様の場合、本発明は閉鎖容器のアパーチャに被さるように接着式ベント装置を取り付けるシステムを含んでいる。図２ａ及び２ｂに示されているように、ベント装置１００は通気エレメント１０２と接着剤１０４とを含んでいる。接着剤１０４は、閉鎖容器壁１１に設けられた開口９と対応するアパーチャを有している。接着剤１０４はキャリアに被着された両面接着剤１０４であってよい。接着剤１０４は取り付け前に通気エレメント１０２と組み合わされる。図２ａはベント装置１００の分解図であり、図２ｂはベント装置１００を、閉鎖容器壁上に取り付けた状態で示している。
【０００７】
通気エレメントは、空気透過性且つ湿分不透過性であり、そして通気を許すが、しかし水及び他の液体の侵入を防止する任意の多孔質材料を含んでよい。通気エレメントは、ＰＴＦＥ膜から成っていると有利な場合がある。ＰＴＦＥ材料は、当業者に知られている方法によって疎油性にされてよい。このような方法は米国特許第５，１１６，６５０号明細書に記載されている。膜は必要な場合には任意の好適な支持材料によって支持されていてよい。通気エレメントは開口を覆い、そして閉鎖容器内への液体の侵入を防止する。通気エレメントは両面粘着剤（感圧接着剤）４に付着されている。接着剤の一方の側は通気エレメントに付着され、そして他方の側は閉鎖容器に付着される。
【０００８】
ベント１００は、鋸歯３００を有する少なくとも１つのエッジ１０３を有している。本明細書中に使用される鋸歯とは、エッジの波状又はギザ歯状の形体であって、測定されたエッジ長さが、エッジを画定する終点間の距離よりも大きくなるような形体である。鋸歯はベント装置の露出したエッジの接着面積を最小化することができる。接着面積を最小化することにより、ベント装置はこれが載置される表面上をより容易にスライドさせられる。ベント装置は、最終結合強度を犠牲にすることなしに再位置決めすることもできる。接着式ベント装置のエッジ１０３には、任意の数の鋸歯３００を形成してよい。鋸歯３００は任意の形状又はサイズを成すことができる。いくつかの模範的なエッジプロフィールを図４に示す。一例としては、正弦曲線３０１又はその他の曲線３０２、城郭状(castellated)３０３、つまみ３０４又は切欠き３０５、及び多重頂点３０６である鋸歯３００が挙げられる。接着式ベント装置自体はいかなる幾何学的形状を成していてもよい。
【０００９】
一実施態様の場合、取り付けガイド１０６は図２ａ及び２ｂに示されている溝であってよい。溝の一方又は両方の端部は、溝自体の幅よりも広い寸法１５５の区域を有していてよい。取り付けガイド１０６及び接着式ベント装置の鋸歯状エッジは、迅速且つ正確な取り付けを容易にする。溝は、当業者に知られている方法によって閉鎖容器の表面に形成されてよい。
【００１０】
別の実施態様では、取り付けガイド２０６は尾根又は隆起であってよい。図３ａに示されているように、尾根は、閉鎖容器上での接着式ベント装置の位置決めを助けるためにＬ字形の形体として設けられていてよい。容器壁表面には開口９に隣接して、取り付けガイド２０６が配置されている。取り付けガイド２０６は少なくとも１つの支持面１１３を有している。取り付けガイド２０６は別個の構成部分として設けられていてよく、或いは当業者に知られている方法によって、閉鎖容器自体の壁内に組み込まれていてもよい。取り付けガイド２０６が別個の構成部分である場合には、取り付けガイド２０６は、閉鎖容器の開口と整合するように１つ又は２つ以上のアパーチャを備えている。
【００１１】
図５ａ〜５ｃは、一実施態様の取り付けガイド１０６を使用してベント装置１００を取り付ける順序を示している。ベント装置１００は、鋸歯３００を備えたエッジ１０３を取り付けガイド１０６内に挿入することによって取り付けられる。図示された取り付けガイド１０６は、任意のより広い端部１１５を反映している。この端部は、ベント装置１００の取り付けガイド１０６内への挿入し易さを改善する。図５ｂにおいて、ベント装置１００を横方向に位置決めすることによって、ベント装置１００のアパーチャを閉鎖容器壁の開口と整合させる。最後に図５ｃに示されているように、ベント装置１００を開口１０９に被さるように押し下げることによって、これらの開口をシールし、そして閉鎖容器に防水性且つ通気性のバリアを提供する。
【図１Ａ】
0005934187.tif 000002
【図１Ｂ】
0005934187.tif 000003
【図２Ａ】
0005934187.tif 000004
【図２Ｂ】
0005934187.tif 000005
【図３Ａ】
0005934187.tif 000006
【図３Ｂ】
0005934187.tif 000007
【図４Ａ】
0005934187.tif 000008
【図４Ｂ】
0005934187.tif 000009
【図４Ｃ】
0005934187.tif 000010
【図４Ｄ】
0005934187.tif 000011
【図４Ｅ】
0005934187.tif 000012
【図４Ｆ】
0005934187.tif 000013
【図５Ａ】
0005934187.tif 000014
【図５Ｂ】
0005934187.tif 000015
【図５Ｃ】
0005934187.tif 000016